(57)【特許請求の範囲】
【請求項１】
（Ａ）移動可能な台車に（Ｂ）被検体にＸ線を照射するＸ線照射手段と（Ｃ）フィルムなどのＸ線撮影用記憶媒体が装填されたカセッテを収納するカセッテ収納手段とが備えられている回診用Ｘ線撮影装置において、（Ｄ）カセッテの識別データを少なくとも含むカセッテ情報をカセッテから読み取るカセッテ情報読み取り手段と、（Ｅ）読み取ったカセッテ情報を被検体の識別データを少なくとも含む被検体情報と対応付けて記憶するカセッテ情報記憶手段と、（Ｆ）カセッテ情報記憶手段に記憶されているカセッテ情報を被検体情報と対応付けて出力するカセッテ情報出力手段と、（Ｇ）カセッテ情報読み取り手段で読み込んだカセッテ情報をカセッテ情報記憶手段に記憶済のカセッテ情報と照合するとともにカセッテ情報の照合結果を出力するカセッテ情報照合手段とを備えていることを特徴とする回診用Ｘ線撮影装置。
【請求項２】
請求項１に記載の回診用Ｘ線撮影装置において、（Ｈ）Ｘ線照射手段とカセッテ収納手段が搭載された台車を備えているＸ線撮影装置本体と、（Ｉ）カセッテ情報読み取り手段とカセッテ情報記憶手段およびカセッテ情報出力手段とを備えているとともにＸ線撮影装置本体から切り離して持ち運びができるように構成されているＸ線撮影装置本体操作用の携帯端末とからなる回診用Ｘ線撮影装置。
【請求項３】
請求項１に記載の回診用Ｘ線撮影装置において、（Ｊ）Ｘ線撮影条件を含むＸ線撮影情報を被検体情報と対応付けて記憶するＸ線撮影情報記憶手段と、（Ｋ）Ｘ線撮影情報にしたがって実行されたＸ線撮影で得られる情報（撮影実行情報）を出力する撮影実行情報出力手段と、（Ｌ）撮影実行情報を被検体情報と対応付けて記憶する撮影実行情報記憶手段とを備えていて、カセッテ情報出力手段はカセッテ情報に加えてＸ線撮影情報および撮影実行情報を被検体情報と対応付けて出力するように構成されている回診用Ｘ線撮影装置。
【請求項４】
（Ａ）移動可能な台車に（Ｂ）被検体にＸ線を照射するＸ線照射手段と（Ｃ）フィルムなどのＸ線撮影用記憶媒体が装填されたカセッテを収納するカセッテ収納手段とが備えられている回診用Ｘ線撮影装置において、（Ｄ）カセッテの識別データを少なくとも含むカセッテ情報をカセッテから読み取るカセッテ情報読み取り手段と、（Ｅ）読み取ったカセッテ情報を被検体の識別データを少なくとも含む被検体情報と対応付けて記憶するカセッテ情報記憶手段と、（Ｆ）カセッテ情報記憶手段に記憶されているカセッテ情報を被検体情報と対応付けて出力するカセッテ情報出力手段と、（Ｍ）各被検体に使われるカセッテの条件（カセッテ条件）を被検体情報と対応付けて記憶するカセッテ条件記憶手段と、（Ｎ）カセッテ条件を含むカセッテ情報を被検体情報を介して対応するカセッテ条件と照合してカセッテ条件の一致・不一致を判定するカセッテ条件照合手段とを備えていることを特徴とする回診用Ｘ線撮影装置。
【請求項５】
請求項４に記載の回診用Ｘ線撮影装置において、（Ｏ）Ｘ線照射手段とカセッテ収納手段が搭載された台車を備えているＸ線撮影装置本体と、（Ｐ）カセッテ情報読み取り手段とカセッテ情報記憶手段およびカセッテ情報出力手段とを備えているとともにＸ線撮影装置本体から切り離して持ち運びができるように構成されているＸ線撮影装置本体操作用の携帯端末とからなる回診用Ｘ線撮影装置。
【請求項６】
請求項４に記載の回診用Ｘ線撮影装置において、（Ｑ）Ｘ線撮影条件を含むＸ線撮影情報を被検体情報と対応付けて記憶するＸ線撮影情報記憶手段と、（Ｒ）Ｘ線撮影情報にしたがって実行されたＸ線撮影で得られる情報（撮影実行情報）を出力する撮影実行情報出力手段と、（Ｓ）撮影実行情報を被検体情報と対応付けて記憶する撮影実行情報記憶手段とを備えていて、カセッテ情報出力手段はカセッテ情報に加えてＸ線撮影情報および撮影実行情報を被検体情報と対応付けて出力するように構成されている回診用Ｘ線撮影装置。
【発明の詳細な説明】
【０００１】
【発明の属する技術分野】
この発明は、病院等で用いられる回診用Ｘ線撮影装置に係り、特に露光済のカセッテから作成するＸ線写真への被検体情報の重畳表示に起因する作業の煩雑さ及び重畳表示の誤りを解消するための技術に関する。
【０００２】
【従来の技術】
従来の回診用Ｘ線撮影装置によるＸ線撮影では、フィルムが装填されているフィルムカセッテを使う場合、Ｘ線照射でフィルムを露光する撮影現場では撮影毎に被検体（患者）の氏名をラベルに書いてフィルムカセッテに貼り付けてゆくか、或いは、被検体の氏名を記載した撮影スケジュール表にカセッテ番号を書き入れてゆくことで、フィルムカセッテと被検体の対応が分かるようにする。
【０００３】
そして、カセッテの中のフィルムを現像する際に、カセッテに貼られたラベルや撮影スケジュール表に示された被検体とカセッテ番号の対応関係に従って被検体の氏名などの被検体情報（患者情報）を未現像フィルムに露光しておいてから現像することによって、Ｘ線写真へ被検体の氏名などの被検体情報が重畳表示される。医師や撮影技師はＸ線写真に重畳表示された被検体情報によりＸ線写真がどの被検体のものであるかを簡単に知ることができる。
【０００４】
またフィルムに代えて蓄積性蛍光体シートを装填したＣＲカセッテを使う場合も、撮影現場では同様に、被検体の氏名を書いたラベルをカセッテに貼り付けてＣＲ処理装置に送るか、被検体の氏名を記載した撮影スケジュール表にカセッテ番号を書き入れてカセッテと一緒にＣＲ処理装置に送る。ＣＲ処理装置では画像読み出し装置でカセッテの中の蓄積性蛍光体シートからＸ線画像を読み出す際に、カセッテに貼られたラベルや撮影スケジュール表にしたがって被検体情報を装置に別途入力し画像信号化してから信号処理で蓄積性蛍光体シートから読み出したＸ線画像に加え合わせた後、被検体情報を重畳表示したＸ線写真として印画紙に焼き付けたり、表示モニタの画面に表示したりする。
【０００５】
【発明が解決しようとする課題】
しかしながら、上記従来の回診用Ｘ線撮影装置の場合、フィルムカセッテを使うにしてもＣＲカセッテを使うにしても、煩雑な作業に加え、重畳表示に誤りが起こる心配もあるという問題がある。
【０００６】
撮影現場で撮影の度に一々ラベルに被検体の氏名を書いてカセッテに貼り付けたり、或いは、被検体の氏名が記載された撮影スケジュール表にカセッテ番号を書き入れたりするのは、撮影技師にとって非常に煩わしい作業であるのに加え、ラベルの貼り違えやカセッテ番号の記入ミスも避け難い。
【０００７】
この発明は、このような事情に鑑みてなされたものであって、露光済のカセッテから作成するＸ線写真への被検体情報の重畳表示に起因する作業の煩雑さ及び重畳表示の誤りを解消することができる回診用Ｘ線撮影装置を提供することを目的とする。
【０００８】
【課題を解決するための手段】
この発明は、このような目的を達成するために、次のような構成をとる。すなわち、請求項１に記載の回診用Ｘ線撮影装置は、（Ａ）移動可能な台車に（Ｂ）被検体にＸ線を照射するＸ線照射手段と（Ｃ）フィルムなどのＸ線撮影用記憶媒体が装填されたカセッテを収納するカセッテ収納手段とが備えられている回診用Ｘ線撮影装置において、（Ｄ）カセッテの識別データを少なくとも含むカセッテ情報をカセッテから読み取るカセッテ情報読み取り手段と、（Ｅ）読み取ったカセッテ情報を被検体の識別データを少なくとも含む被検体情報と対応付けて記憶するカセッテ情報記憶手段と、（Ｆ）カセッテ情報記憶手段に記憶されているカセッテ情報を被検体情報と対応付けて出力するカセッテ情報出力手段と、（Ｇ）カセッテ情報読み取り手段で読み込んだカセッテ情報をカセッテ情報記憶手段に記憶済のカセッテ情報と照合するとともにカセッテ情報の照合結果を出力するカセッテ情報照合手段とを備えていることを特徴とするものである。
【０００９】
（作用・効果）請求項１に記載の発明によれば、カセッテの識別データを少なくとも含むカセッテ情報がカセッテ情報読み取り手段によってカセッテから読み取られた後、カセッテ情報は被検体の識別データを少なくとも含む被検体情報と対応付けられてカセッテ情報記憶手段で記憶されるとともに、さらにカセッテ情報出力手段で被検体情報と対応付けられたかたちでカセッテ情報が出力される。
【００１０】
すなわち、カセッテ情報読み取り手段を使ってカセッテ情報を読み取る操作をおこなえば、後は何ら記入作業をおこなわずとも事実上自動的に、カセッテ情報と被検体情報が正確に対応付けられた出力が得られるので、撮影技師は記入作業の煩わしさや記入ミスから解放される結果、露光済のカセッテから作成するＸ線写真への被検体情報の重畳表示に起因する作業の煩雑さ及び重畳表示の誤りが解消される。
【００１１】
加えて、カセッテ情報照合手段による記憶済のカセッテ情報と、読み込んだカセッテ情報との照合の結果にしたがって、読み込んだカセッテ情報が既に読み込み済みであるか、さらにはカセッテが撮影済みのものであるかのチェックが容易におこなえるので、カセッテ情報の二重読み込みや、カセッテの二重撮りを確実に回避できる。
【００１２】
また、請求項２の発明は、請求項１に記載の回診用Ｘ線撮影装置において、（Ｈ）Ｘ線照射手段とカセッテ収納手段が搭載された台車を備えているＸ線撮影装置本体と、（Ｉ）カセッテ情報読み取り手段とカセッテ情報記憶手段および情報出力手段とを備えているとともにＸ線撮影装置本体から切り離して持ち運びができるように構成されているＸ線撮影装置本体操作用の携帯端末とからなるものである。
【００１３】
（作用・効果）請求項２に記載の発明によれば、カセッテ情報読み取り手段は携帯端末に装備されていて、カセッテ情報読み取り手段を何処へでも自由に動かせるので、カセッテが何処にあってもカセッテ情報を読み取ることができるうえに、カセッテ情報読み取り手段に加えてカセッテ情報記憶手段および情報出力手段がＸ線撮影装置本体から切り離して持ち運びができる携帯端末の側に配備されているので、元々コンパクト性を要求されることから構造・機構上の増設の余地が余りないＸ線撮影装置本体側に構造・機構の面で無理な負担をかけずに済む。
【００１４】
また、請求項３の発明は、請求項１に記載の回診用Ｘ線撮影装置において、（Ｊ）Ｘ線撮影条件を含むＸ線撮影情報を被検体情報と対応付けて記憶するＸ線撮影情報記憶手段と、（Ｋ）Ｘ線撮影情報にしたがって実行されたＸ線撮影で得られる情報（撮影実行情報）を出力する撮影実行情報出力手段と、（Ｌ）撮影実行情報を被検体情報と対応付けて記憶する撮影実行情報記憶手段とを備えていて、カセッテ情報出力手段はカセッテ情報に加えてＸ線撮影情報および撮影実行情報を被検体情報と対応付けて出力するように構成されているものである。
【００１５】
（作用・効果）請求項３に記載の発明によれば、Ｘ線撮影情報記憶手段で被検体情報と対応付けられて記憶されているＸ線撮影情報に基づき、Ｘ線撮影が実行されるのに伴って撮影実行情報出力手段から出力される撮影実行情報は、撮影実行情報記憶手段によって被検体情報と対応付けられて記憶されるとともに、さらにカセッテ情報に加えてＸ線撮影情報および撮影実行情報が被検体情報と対応付けられて携帯端末から出力されるので、カセッテ情報に加えてＸ線撮影情報および撮影実行情報の収集が容易となる。また、被検体のＸ線撮影を実行する直前にＸ線撮影情報にしたがって行う設定操作は、撮影依頼表などを一々見なくても、Ｘ線撮影情報記憶手段に被検体情報と対応付けられて記憶されているＸ線撮影情報を用いて速やかに済ますことができるので、設定操作の煩わしさも解消される。
【００１６】
また、請求項４の発明は、（Ａ）移動可能な台車に（Ｂ）被検体にＸ線を照射するＸ線照射手段と（Ｃ）フィルムなどのＸ線撮影用記憶媒体が装填されたカセッテを収納するカセッテ収納手段とが備えられている回診用Ｘ線撮影装置において、（Ｄ）カセッテの識別データを少なくとも含むカセッテ情報をカセッテから読み取るカセッテ情報読み取り手段と、（Ｅ）読み取ったカセッテ情報を被検体の識別データを少なくとも含む被検体情報と対応付けて記憶するカセッテ情報記憶手段と、（Ｆ）カセッテ情報記憶手段に記憶されているカセッテ情報を被検体情報と対応付けて出力するカセッテ情報出力手段と、（Ｍ）各被検体に使われるカセッテの条件（カセッテ条件）を被検体情報と対応付けて記憶するカセッテ条件記憶手段と、（Ｎ）カセッテ条件を含むカセッテ情報を被検体情報を介して対応するカセッテ条件と照合してカセッテ条件の一致・不一致を判定するカセッテ条件照合手段とを備えている。
【００１７】
（作用・効果）請求項４に記載の発明によれば、カセッテの識別データを少なくとも含むカセッテ情報がカセッテ情報読み取り手段によってカセッテから読み取られた後、カセッテ情報は被検体の識別データを少なくとも含む被検体情報と対応付けられてカセッテ情報記憶手段で記憶されるとともに、さらにカセッテ情報出力手段で被検体情報と対応付けられたかたちでカセッテ情報が出力される。
【００１８】
すなわち、カセッテ情報読み取り手段を使ってカセッテ情報を読み取る操作をおこなえば、後は何ら記入作業をおこなわずとも事実上自動的に、カセッテ情報と被検体情報が正確に対応付けられた出力が得られるので、撮影技師は記入作業の煩わしさや記入ミスから解放される結果、露光済のカセッテから作成するＸ線写真への被検体情報の重畳表示に起因する作業の煩雑さ及び重畳表示の誤りが解消される。
【００１９】
加えて、カセッテから読み取られたカセッテ情報のカセッテ条件が被検体情報を介して、カセッテ条件照合手段により予め各被検体と対応付けて記憶したカセッテ条件と照合されてカセッテ条件の一致・不一致が判定されるので、条件に合わないカセッテを使ってＸ線撮影をおこなうミスを確実に回避できる。
【００２０】
また、請求項５の発明は、請求項４に記載の回診用Ｘ線撮影装置において、（Ｏ）Ｘ線照射手段とカセッテ収納手段が搭載された台車を備えているＸ線撮影装置本体と、（Ｐ）カセッテ情報読み取り手段とカセッテ情報記憶手段および情報出力手段とを備えているとともにＸ線撮影装置本体から切り離して持ち運びができるように構成されているＸ線撮影装置本体操作用の携帯端末とからなるものである。
【００２１】
（作用・効果）請求項５に記載の発明によれば、カセッテ情報読み取り手段は携帯端末に装備されていて、カセッテ情報読み取り手段を何処へでも自由に動かせるので、カセッテが何処にあってもカセッテ情報を読み取ることができるうえに、カセッテ情報読み取り手段に加えてカセッテ情報記憶手段および情報出力手段がＸ線撮影装置本体から切り離して持ち運びができる携帯端末の側に配備されているので、元々コンパクト性を要求されることから構造・機構上の増設の余地が余りないＸ線撮影装置本体側に構造・機構の面で無理な負担をかけずに済む。
【００２２】
また、請求項６の発明は、請求項４に記載の回診用Ｘ線撮影装置において、（Ｑ）Ｘ線撮影条件を含むＸ線撮影情報を被検体情報と対応付けて記憶するＸ線撮影情報記憶手段と、（Ｒ）Ｘ線撮影情報にしたがって実行されたＸ線撮影で得られる情報（撮影実行情報）を出力する撮影実行情報出力手段と、（Ｓ）撮影実行情報を被検体情報と対応付けて記憶する撮影実行情報記憶手段とを備えていて、カセッテ情報出力手段はカセッテ情報に加えてＸ線撮影情報および撮影実行情報を被検体情報と対応付けて出力するように構成されているものである。
【００２３】
（作用・効果）請求項６に記載の発明によれば、Ｘ線撮影情報記憶手段で被検体情報と対応付けられて記憶されているＸ線撮影情報に基づき、Ｘ線撮影が実行されるのに伴って撮影実行情報出力手段から出力される撮影実行情報は、撮影実行情報記憶手段によって被検体情報と対応付けられて記憶されるとともに、さらにカセッテ情報に加えてＸ線撮影情報および撮影実行情報が被検体情報と対応付けられて携帯端末から出力されるので、カセッテ情報に加えてＸ線撮影情報および撮影実行情報の収集が容易となる。また、被検体のＸ線撮影を実行する直前にＸ線撮影情報にしたがって行う設定操作は、撮影依頼表などを一々見なくても、Ｘ線撮影情報記憶手段に被検体情報と対応付けられて記憶されているＸ線撮影情報を用いて速やかに済ますことができるので、設定操作の煩わしさも解消される。
【００２４】
さらに、この発明に有用な態様として、請求項３および請求項６に記載の回診用Ｘ線撮影装置において、撮影実行情報出力手段がＸ線撮影装置本体（以下、適宜「装置本体」と略記）に配備されており、Ｘ線撮影情報記憶手段および撮影実行情報記憶手段が装置本体操作用の携帯端末に配備されていて、携帯端末の設定操作に伴ってＸ線撮影情報を携帯端末から装置本体に送り込むとともに撮影実行に伴って撮影実行情報を装置本体から携帯端末に送り込む双方向通信手段がＸ線撮影装置本体および携帯端末に配備されているものが挙げられる。
【００２５】
（作用・効果）上記の有用な態様によれば、情報収集の容易さおよびＸ線撮影実行直前の設定操作の煩わしさ解消を、装置本体側に構造・機構の面で無理な負担をかけずに実現できる。
【００２６】
【発明の実施の形態】
以下、この発明の回診用Ｘ線撮影装置の一実施例を説明する。図１は実施例に係る回診用Ｘ線撮影装置の全体を示す斜視図、図２は実施例装置の背面側だけを示す部分斜視図、図３はフィルムカセッテを示す斜視図、図４は実施例装置の携帯端末を示す斜視図、図５は実施例装置の要部構成を示すブロック図である。
【００２７】
実施例の回診用Ｘ線撮影装置は、Ｘ線撮影装置本体１と装置本体操作用の携帯端末２とからなり、装置本体１には、電動及び手動のいずれでも移動させられる台車３に、撮影対象である寝台Ｂ上の被検体（患者）ＭにＸ線を照射するＸ線照射手段としてのＸ線管４と、携帯端末２との間でＸ線撮影条件を含むＸ線撮影情報など各種情報の受信・送信をおこなう双方向通信可能な赤外線式の本体側通信部５と、装置本体１を操作するための操作キー群６Ａ等が設けられた本体側操作部６と、Ｘ線管４の管電圧・管電流時間積等の必要情報を表示する表示モニタ７とが配備されているのに加え、Ｘ線撮影用記憶媒体としてフィルム８が装填されたフィルムカセッテ９を複数枚収納可能なカセッテ収納ボックス１０が配備されている。
【００２８】
したがって、台車３の移動に伴ってフィルムカセッテ９がカセッテ収納ボックス１０ごと撮影対象の被検体Ｍの所に運搬される。カセッテ収納ボックス１０は、把手１０Ａを引くと図２に示すように口が開き、把手１０Ａを押すと図１に示すように口が閉じてフィルムカセッテ９を出し入れできるように構成されている。またカセッテ収納ボックス１０の中には仕切り板１０Ｂが入っていて、通常、未撮影のフィルムカセッテ９は仕切り板１０Ｂの手前に納められ、撮影済のフィルムカセッテ９は仕切り板１０Ｂの奥に納められる。
【００２９】
一方、携帯端末２の場合、装置本体１から切り離して持ち運びできるタイプであり、フィルムカセッテ９からカセッテ情報を読み取るカセッテ情報読み取り手段としてのバーコードリーダ１２が電気コードで端末本体１１に繋がって配備されている。カセッテ情報はカセッテの識別データであるカセッテ番号（カセッテＩＤ）に加えてフィルムサイズや感光紙特性のデータ等のカセッテ条件を含んでいる。そして、端末本体１１には、カセッテ情報やＸ線撮影情報等の各種情報を被検体Ｍの識別データ（被検体ＩＤ）を含む被検体情報と対応付けて記憶する情報記憶部１３と、各種情報や操作用画面等を表示する表示モニタ１４と、装置本体１や情報を集中的に管理するホストコンピュータ２０との間で各種情報の送信・受信をおこなう双方向通信可能な赤外線式の端末側通信部１５と、各種情報を用紙に印刷する印刷部１６と、情報の出力および表示あるいは送信などに必要な操作をおこなう端末側操作部１７が配備されている。なお端末側通信部１５と印刷部１６は各種情報を被検体情報と対応付けたかたちでホストコンピュータや用紙に出力するものであり、それぞれがカセッテ情報出力手段に相当する。
【００３０】
他方、フィルムカセッテ９には、図３に示すように、カセッテ番号やフィルムサイズデータおよび感光紙特性データ等がコード化されたバーコード１８を印刷したバーコードラベル１９が表面に貼り付けられている。Ｘ線撮影を行う場合、先ずカセッテ収納ボックス１０の口を開いて未使用のフィルムカセッテ９を取り出した後、バーコードリーダ１２でバーコードラベル１９のバーコード１８をスキャンしてカセッテ情報を読み取る操作をおこなう。ついでカセッテ情報の読み込みが済んだフィルムカセッテ９を撮影位置にセットしてから携帯端末２による設定操作でＸ線撮影情報にしたがって管電圧・管電流時間積等の情報を本体装置１に送り込んだ後、Ｘ線管４からＸ線を照射すれば、フィルムカセッテ９が露光されてＸ線撮影が実行される。以下、実施例装置の構成を詳しく説明する。
【００３１】
装置本体１のＸ線管４は、撮影目的に応じて移動させる必要があるが、Ｘ線管４の（上下・左右・回転・首振り等の）移動は普通は撮像系移動機構部２１による電動に必要に応じて手動を組み合わせたりして行われるように構成されており、撮影技師はＸ線管４を適当に移動させることでＸ線管４の位置，高さ，傾きなどを撮影目的に合わせて調整できる。装置本体１自体の移動は、台車移動機構部２２で車輪を電動回転させることで可能である他、装置本体１の後側に水平に取り付けられている把手３Ａを持って押したり、引いたりして車輪を手動回転させることでも可能である。
【００３２】
また、装置本体１は、携帯端末２をセットする携帯端末受置き部２３を上面に備えている。携帯端末受置き部２３は携帯端末２の下側半分ほどがちょうど嵌まり込む深さの凹みであり、携帯端末２を携帯端末受置き部２３に嵌め込んでセットすれば、携帯端末２が動かず安定状態で操作できる。
【００３３】
その他、装置本体１は実際にＸ線撮影が行われた際にＸ線管駆動用の高圧電源２４からフィードバックされるＸ線管実電圧値やＸ線管実電流時間積値などの撮影実行情報を出力する撮影実行情報出力部２５を備えているとともに、本体側通信部５が撮影実行情報出力部２５から出力される撮影実行情報を直ちに携帯端末２に送信するように構成されている。なお、本体制御部ＣＰＵ１は、各種情報の流れをコントロールしたり、各部の稼働に必要な指令信号を出力したりして、装置本体１が適切に機能するように全体的な動きを司る役割を担っている。
【００３４】
続いて、携帯端末２について説明する。携帯端末２の情報記憶部１３は、図６に示すように、バーコードリーダ１２で読み取ったカセッテ情報を記憶するカセッテ情報メモリ１３Ａをカセッテ情報記憶手段として備えるのに加え、端末側通信部１５で受信したり、端末側操作部１７に設けられた操作キー群１７Ａで入力されるＸ線撮影情報を被検体Ｍと対応付けて記憶するＸ線撮影情報記憶手段としてのＸ線撮影情報メモリ１３Ｂと、装置本体１から送信されてくる撮影実行情報を記憶する撮影実行情報記憶手段としての撮影実行情報メモリ１３Ｃと、特定の被検体に固有の任意情報（個別コメント情報：例えば「骨折で歩行不可」）を記憶するコメント情報メモリ１３Ｄを備えている他に、被検体Ｍの識別コードおよび氏名・年齢などの被検体情報（患者情報）を記憶する被検体情報メモリ１３Ｅ等を備えている。
【００３５】
なお、Ｘ線撮影情報メモリ１３Ｂに記憶されるＸ線撮影条件に関連する情報としては、Ｘ線管電圧およびＸ線管電流時間積を指定するＸ線撮影条件情報や胸部や下肢などの撮影部位、正面や背面あるいは斜位などの撮影方向、焦点距離、フィルムサイズ、さらには、散乱Ｘ線除去用のグリッドの有無を指定する撮影態様指定情報等が挙げられる。さらに、Ｘ線撮影情報メモリ１３Ｂには以前におこなわれたＸ線撮影（既撮影）についてのＸ線撮影情報も被検体と対応付けられて記憶されるとともに、端末側操作部１７で指定された被検体Ｍの既撮影のＸ線撮影情報が表示モニタ１４で表示されるようにも構成されている。
【００３６】
また、バーコードリーダ１２は、カセッテ情報だけでなく、病室の寝台（ベッド）Ｂや被検体Ｍの腕に嵌められたリストバンドに貼り付けられたラベル（図示省略）からバーコードをスキャンして被検体情報用のデータを読み取って携帯端末２に取り込めるように構成されている以外に、端末側操作部１７には、Ｘ線撮影実行を指令する撮影実行ＳＷ１７Ｂが設けられていて、装置本体１から離れた被曝線量の少ない位置から撮影実行ＳＷ１７Ｂによるリモート操作でＸ線撮影実行を指令できるように構成されている。
【００３７】
携帯端末２の場合、送信・受信可能な端末側通信部１５により、Ｘ線撮影情報を集中的に管理するホストコンピュータ２０との間で各種情報を双方向でやりとりできるように構成されている。したがって、携帯端末２へＸ線撮影情報などをホストコンピュータ２０から直にダウンロードすることで携帯端末２はＸ線撮影情報を容易に取り込むことができ、また逆に携帯端末２からホストコンピュータ２０にカセッテ情報や撮影実行情報を直にアップロードすることでホストコンピュータ２０はＸ線撮影情報を容易に収集することができる。
【００３８】
なお、カセッテ情報は印刷部１６で用紙に印刷して出力するだけでホストコンピュータ２０には出力しないような構成であってもよいし、逆にカセッテ情報をホストコンピュータ２０に出力するだけで印刷部１６では出力しないという構成でもよい。
【００３９】
各種情報を収集して集中的に管理するホストコンピュータ２０には、Ｘ線撮影情報を双方向でやりとりできるホスト側通信部２６やホストコンピュータ本体２７を稼働させるための操作部２８などが配備されている。
【００４０】
また携帯端末２は、バーコードリーダ１２で読み込んだカセッテ情報をカセッテ情報メモリ１３Ａに記憶済のカセッテ情報と照合するとともにカセッテ情報の照合結果を出力するカセッテ情報照合部２９を備えている。カセッテ情報照合部２９での照合結果が一致していれば、今読み込んだカセッテ情報は読み込み済みであることが分かるうえ、同時にカセッテが撮影済である可能性も想起されるので、カセッテ情報の二重読み込みや、カセッテの二重撮りが確実に回避できる。カセッテ情報メモリ１３Ａでは、カセッテ番号に未撮影か撮影済かのデータも付随して記憶されるのに加え、カセッテ情報照合部２９は照合結果にしたがって情報の読み込みの未・済に加えて撮影の未・済もチェックし、チェック結果を表示モニタ１４で表示するとともに、スピーカ（図示省略）で放送して報知するように構成されている。
【００４１】
さらに、携帯端末２は、各被検体Ｍに使われるカセッテの条件（カセッテ条件）を被検体情報と対応付けて記憶するカセッテ条件記憶手段としてカセッテ条件メモリ１３Ｆが情報記憶部１３に配備されているのに加えて、カセッテ情報を被検体情報を介して対応するカセッテ条件と照合してカセッテ条件の一致・不一致を判定するカセッテ条件照合手段としてのカセッテ条件照合部３０を備えている。
【００４２】
携帯端末２の場合、回診の前に撮影技師がフィルムサイズや感光紙特性などのカセッテ条件を端末側操作部１７で入力したり、他の装置からダウンロードしてカセッテ条件メモリ１３Ｆに予め記憶させておけば、カセッテ条件照合部３０によって、バーコードリーダ１２でフィルムカセッテ９から読み取られたカセッテ情報の中のカセッテ条件がカセッテ条件メモリ１３Ｆに記憶されているカセッテ条件と照合されてカセッテ条件の一致・不一致が判定される。
【００４３】
判定の結果、カセッテ条件が一致する場合は、使用しようとするフィルムカセッテ９は適切であり、カセッテ条件が不一致の場合は、使用しようとするフィルムカセッテ９が不適切である。携帯端末２の場合、カセッテ条件が不一致の時は、撮影技師の注意を喚起するために、表示モニタ１４またはスピーカ（図示省略）でカセッテ条件の不一致が報知される構成となっているので、条件に合わないカセッテを使ってＸ線撮影をおこなうミスは確実に回避できる。
【００４４】
なお、端末制御部ＣＰＵ２は、各種情報の流れをコントロールしたり、各部の稼働に必要な指令信号を出力したりして、携帯端末２が適切に機能するように全体的な動きを司る役割を担っている。
【００４５】
続いて、実施例装置の具体的な構成を、Ｘ線撮影を実行する場合に則して、図面を参照しながら説明する。図７は実施例装置によるカセッテ情報の収集状況を示すフローチャートである。
【００４６】
〔ステップＳ１〕撮影技師は、携帯端末２をホストコンピュータ２０の所に持ち込んで回診撮影対象である各被検体ＭについてのＸ線撮影情報やカセッテ条件をダウンロードして情報記憶部１３に被検体Ｍと対応付けて記憶するとともに、装置本体１にフィルムカセッテ９を積載して、装置本体１および携帯端末２と一緒に被検体Ｍの居る病室に向かう。
【００４７】
〔ステップＳ２〕病室に入ったら、携帯端末２を起動し、図８に示すように、表示モニタ１４に被検体Ｍの識別データであるＩＤコード、氏名および病室などが一覧表示された被検体リスト画面Ｐ１を呼び出して先頭の被検体Ｍの○△×□さんを指定する。
【００４８】
被検体リスト画面Ｐ１の場合、カーソル移動キー１７ａでカーソル（図示省略）を所望の被検体を表示する行に移動させてクリックキー１７ｂでクリックすることで被検体Ｍの指定がおこなえるように構成されている。カーソルを「進む」の所にセットしてクリックすると次の画面に、カーソルを「戻る」の所にセットしてクリックすると以前の画面に、それぞれ変更される。また、被検体リスト画面Ｐ１の黒三角マークをクリックすると、表示するリストの領域が上方または下方に移動する。さらに、カーソルを「追加」の所にセットしてから被検体Ｍの指定操作をおこなった後、操作キー群１７Ａによる入力操作で情報の訂正・追加も可能である。
【００４９】
〔ステップＳ３〕未使用のフィルムカセッテ９をカセッテ収納ボックス１０から取り出してから被検体リスト画面Ｐ１の中の「カセッテ」の欄をクリックした後、取り出したフィルムカセッテ９に貼られたバーコードラベル１９のバーコード１８をバーコードリーダ１２でスキャンしてカセッテ情報を読み取る。
【００５０】
〔ステップＳ４〕表示モニタ１４の被検体リスト画面Ｐ１は、図９に示すように、指定された被検体Ｍの識別コードであるＩＤコードと氏名に横並びでカセッテ番号やカセッテ条件が表示されたカセッテデータ画面Ｐ２に切り換わる。
【００５１】
〔ステップＳ５〕続いて自動的に読み取られたカセッテ情報にしたがって、カセッテ情報照合部２９でカセッテ情報メモリ１３Ａに記憶されたカセッテ情報との照合が行われ、またカセッテ条件照合部３０でカセッテ条件メモリ１３Ｆに記憶されたカセッテ条件との照合処理が行われて、カセッテデータ画面Ｐ２の下の照合結果欄に照合結果が表示される。今回は両照合欄がいずれも「ＯＫ」の表示で問題がないので次のステップＳ６に進む。
【００５２】
但し、フィルムカセッテ９が使用済であったり、フィルムカセッテ９が指定した被検体Ｍのカセッテ条件に一致しなかったりして、照合結果に問題がある場合、問題点がカセッテデータ画面Ｐ２の照合結果欄に表示されると同時にスピーカで放送される。例えば「カセッテは撮影済です」とか「フィルムサイズが違います」というように報知される。撮影技師は表示・放送された問題点を吟味して対処する。例えばフィルムカセッテ９が使用済であれば、未使用のものと交換しステップＳ３に戻ってカセッテ情報を読み取る操作を再びおこなう。
【００５３】
〔ステップＳ６〕カセッテデータ画面Ｐ２の中の「記憶」欄をクリックすると、読み取られたカセッテ情報は横並びで表示されている被検体情報と対応付けられてカセッテ情報メモリ１３Ａに記憶され、カセッテ情報の収集作業は完了となる。
【００５４】
撮影技師は、引き続き以下に示すカセッテの露光作業に移る。図１０は実施例装置によるカセッテの露光状況を示すフローチャートである。
【００５５】
〔ステップＴ１〕カセッテデータ画面Ｐ２の中の「撮影」欄をクリックすると、表示モニタ１４の画面が、図１１に示すように、指定した被検体ＭのＸ線撮影情報が表示されている撮影情報表示画面Ｐ３に切り替わる。撮影情報表示画面Ｐ３では、Ｘ線撮影条件情報や撮影態様指定情報の他に、特定の被検体に固有の個別コメント情報が表示されている。
【００５６】
〔ステップＴ２〕撮影情報表示画面Ｐ３に表示されているＸ線撮影情報にしたがって、フィルムカセッテ９を撮影位置（今は被検体Ｍの胸部下側）に置く。撮影情報表示画面Ｐ３でも表示中の情報を訂正したり、新たな情報を追加することが可能である。例えば、Ｘ線管４の管電圧・管電流時間積は医師が決定するものでなく、普通は撮影技師が決定するので、管電圧・管電流時間積の欄をチェックしてみて、空欄であったり、適当な数値でなければ、カーソルを「条件編集」の所に移動させてクリックした後、該当欄をクリックしてから増減マークをクリックすることでＸ線管４の管電圧ないし管電流時間積の値を変えてＸ線撮影条件を調整する。
【００５７】
また以前に撮影経験のある被検体Ｍの場合、指定中の被検体Ｍの既撮影のＸ線撮影情報が被検体Ｍと対応付けられて情報記憶部１３に記憶されていれば、指定された被検体Ｍの既撮影時のＸ線撮影情報が表示され、さらに撮影情報表示画面Ｐ３の中の「進む」にカーソルをセットしてクリックすると既撮影時の撮影情報表示画面に次々と遡って切り換えられてゆく。撮影情報表示画面Ｐ３の中の「戻る」にカーソルをセットしてクリックすると逆の順で元の画面に切り替わってゆき、最後は撮影情報表示画面Ｐ３が表示される。このように過去のＸ線撮影情報の履歴が表示モニタ１４の画面で簡単に確認できると、既撮影時と同様の条件でＸ線撮影する場合、撮影技師が変っていたとしても既撮影の時と同様の撮影条件となるように設定操作をおこなうのは極めて容易である。
【００５８】
〔ステップＴ３〕調整終了の後、撮影情報表示画面Ｐ３の中の「撮影準備」にカーソルをセットしてクリックする。そうすると撮影情報表示画面Ｐ３の中のＸ線撮影条件などの必要なＸ線撮影情報が装置本体１へ送信されて設定される。
【００５９】
〔ステップＴ４〕装置本体１の操作キー群６Ａの中の撮影実行指令用キーまたは携帯端末２の撮影実行ＳＷ１７Ｂを操作してＸ線撮影実行を指令すると、Ｘ線管４からＸ線が照射されてフィルムカセッテ９の中のフィルムが露光される。
【００６０】
〔ステップＴ５〕装置本体１の撮影実行情報出力部２５から出力されるＸ線管実電圧値やＸ線管実電流時間積値などの撮影実行情報が本体側通信部５を経由して携帯端末２の撮影実行情報メモリ１３Ｃに取り込まれる。
【００６１】
なお、Ｘ線照射実行に伴って、撮影情報表示画面Ｐ３は、図１２に示すように、Ｘ線管実電圧値やＸ線管実電流時間積値などの撮影実行情報が消去不可能に表示された撮影情報表示画面Ｐ４に変化する。また表示モニタ１４の画面を被検体リスト画面に戻すと、図１３に示すように、Ｘ線撮影済を示す「済」の文字が撮影の欄に表示された被検体リスト画面Ｐ５に変わり、さらに表示モニタ１４の画面をカセッテデータ画面に戻すと、図１４に示すように、Ｘ線撮影済を示す「済」の文字が撮影の欄に表示されたカセッテデータ画面Ｐ６に変わる。
【００６２】
〔ステップＴ６〕露光済のフィルムカセッテ９がカセッテ収納ボックス１０の仕切り板１０Ｂの奥に納められると、１回のＸ線撮影が完了となる。
【００６３】
〔ステップＴ７〕まだ撮影が全て終了していなければ次の撮影に移り、再びカセッテ情報の収集作業（上記のステップＳ２）に戻る。撮影が全て終了であれば、次のステップＴ８に進む。
【００６４】
〔ステップＴ８〕カセッテ情報とＸ線撮影情報および撮影実行情報を被検体情報と対応付けて、印刷部１６で用紙に印刷したり、あるいは端末側通信部１５からホストコンピュータ２０へ送信してアップロードすることにより、必要な情報を出力すれば、Ｘ線撮影は終了となる。
【００６５】
このように被検体情報と対応付けてカセッテ情報とＸ線撮影情報および撮影実行情報が纏まって出力されるので、情報の収集は容易である。勿論、カセッテ情報とＸ線撮影情報および撮影実行情報を全て纏めて出力する必要がない場合、各情報を個別に出力するようにも構成されている。
【００６６】
フィルムの現像現場では、今から現像に取りかかるフィルムカセッテ９のカセッテ番号を確認するとともに、確認したカセッテ番号に対応するカセッテ情報をカセッテ情報が印刷された用紙から確認し、必要な被検体情報を未現像のフィルムに予め露光してからフィルムを現像する。
【００６７】
また、フィルムの代わりに蓄積性蛍光体シートがＸ線撮影用記憶媒体として装填されているＣＲカセッテの場合、画像の読み出し装置（図示省略）へ確認した必要な被検体情報を操作卓などを使って入力して画像信号化するとともに、信号処理で蓄積性蛍光体シートから読み出したＸ線画像に加え合わせて、被検体情報が重畳されたＸ線写真として印画紙に焼き付けたり、表示モニタの画面に表示したりする。
【００６８】
なお、フィルム現像機や画像の読み出し装置がカセッテ情報の自動入力機能を備えている場合は、フィルム現像機や画像の読み出し装置に携帯端末２を有線または無線で通信可能に接続しておいて、カセッテ情報を電気信号のかたちで直接出力するようにすることも可能である。
【００６９】
また実施例装置は、バーコードリーダ１２でカセッテ９からカセッテ情報を読み取ってから、続いて寝台Ｂや被検体Ｍの腕のリストバンドに貼り付けられたラベル（図示省略）からバーコードをスキャンして被検体情報を読み取る（或いは先に被検体情報を読み取って続いてカセッテ情報を読み取る）ことにより、カセッテ情報を被検体情報と対応付けして記憶できるようにも構成されている。
【００７０】
以上に述べたように、実施例の回診用Ｘ線撮影装置の場合、バーコードリーダ１２でフィルムカセッテ９からカセッテ情報を読み取る操作をおこなえば、何ら記入作業をおこなわずとも後は事実上自動的に、カセッテ情報がＸ線撮影情報や撮影実行情報と共に被検体情報と対応付けられて出力されるので、撮影技師は記入作業の煩わしさや記入ミスから解放される結果、露光済のカセッテから作成するＸ線写真への被検体情報の重畳表示に起因する作業の煩雑さ及び重畳表示の誤りが解消される。
【００７１】
また実施例装置の場合、バーコードリーダ１２が、携帯端末２に装備されていて、バーコードリーダ１２を何処へでも自由に動かせるので、カセッテが何処にあってもカセッテ情報を読み取ることができる。さらに、バーコードリーダ１２に加えて情報記憶部１３や端末側通信部１５および印刷部１６などのカセッテ情報出力手段が装置本体１から切り離して持ち運びができる携帯端末２の側に配設されているので、元々コンパクト性を要求されることから構造・機構上の増設の余地が極めて少ない装置本体１に構造・機構の面で無理な負担がかかることもない。
【００７２】
さらに、実施例装置によれば、端末側操作部１７の操作で撮影しようとする被検体ＭについてのＸ線撮影情報を過去の分も含めて表示モニタ１４の画面上に表示して確認できるので、Ｘ線撮影の実行直前にＸ線撮影情報にしたがって行う設定操作は、既撮影の時と同様の撮影条件とする場合でも、至極簡単で煩わしさのないものとなる。
【００７３】
この発明は、上記の実施例に限られるものではなく、以下のように変形実施することも可能である。
【００７４】
（１）実施例の回診用Ｘ線撮影装置の場合、装置本体１と操作用の携帯端末２とに分かれた二体構成の装置であったが、装置本体１と携帯端末２がひとつに纏まった一体構成の装置が、変形例として挙げられる。
【００７５】
（２）実施例装置において、情報記憶部１３をＩＣメモリカードなどのメモリカードをワンタッチで着脱可能に携帯端末２に装備するようにしておいてカセッテ情報やＸ線撮影情報あるいは撮影実行情報がメモリカードに書き込まれる構成の装置が、変形例として挙げられる。この変形例の場合、カセッテ情報やＸ線撮影情報あるいは撮影実行情報の出力は、メモリカードを取り外すことでおこなわれる構成となり、情報の出力がワンタッチで可能となることになる。取り外したメモリカードはフィルム現像機や画像の読み出し装置に直にワンタッチで取り付ける構成であれば、カセッテ情報の利用が極めて容易となる。
【００７６】
（３）実施例装置の場合、本体側通信部５や端末側通信部１５は情報の送信・受信を赤外線式の無線で行う構成であったが、本体側通信部５や端末側通信部１５は情報の送信・受信をＰＨＳ式の無線で行う構成でもよい。情報やりとりの際には、装置本体１と携帯端末２をケーブルで接続して情報の送信・受信を有線で行ったり、装置本体１に携帯端末２をセットした場合に装置本体１の側のコンセントに携帯端末２の側のプラグが結合されるように構成しておいて、本体側通信部５と端末側通信部１５がコネクタとプラグを通して直に情報の送信・受信を行う構成であってもよい。
【００７７】
【発明の効果】
以上の説明から明らかなように、この発明の回診用Ｘ線撮影装置によれば、カセッテ情報読み取り手段を使ってカセッテからカセッテ情報を読み取る操作をおこなえば、何ら記入作業をおこなわずとも後は事実上自動的に、カセッテ情報と被検体情報が正確に対応付けられた出力が得られるので、撮影技師は記入作業の煩わしさや記入ミスから解放され、露光済のカセッテから作成するＸ線写真への被検体情報の重畳表示に起因する作業の煩雑さ及び重畳表示の誤りを解消することができる。
【図面の簡単な説明】
【図１】実施例に係る回診用Ｘ線撮影装置の全体を示す斜視図である。
【図２】実施例装置の背面側を示す部分斜視図である。
【図３】フィルムカセッテを示す斜視図である。
【図４】実施例装置の携帯端末を示す斜視図である。
【図５】実施例装置の要部構成を示すブロック図である。
【図６】実施例における携帯端末の情報記憶部の構成を示すブロック図である。
【図７】実施例装置によるカセッテ情報の収集状況を示すフローチャートである。
【図８】携帯端末で表示される被検体リスト画面の一例を示す模式図である。
【図９】携帯端末で表示されるカセッテデータ画面の一例を示す模式図である。
【図１０】実施例装置によるカセッテの露光状況を示すフローチャートである。
【図１１】携帯端末で表示される撮影情報表示画面の一例を示す模式図である。
【図１２】携帯端末で表示される撮影情報表示画面の他の例を示す模式図である。
【図１３】携帯端末で表示される被検体リスト画面の他の例を示す模式図である。
【図１４】携帯端末で表示されるカセッテデータ画面の他の例を示す模式図である。
【図１】
0003945259.tif 000002
【図２】
0003945259.tif 000003
【図３】
0003945259.tif 000004
【図４】
0003945259.tif 000005
【図５】
0003945259.tif 000006
【図６】
0003945259.tif 000007
【図７】
0003945259.tif 000008
【図８】
0003945259.tif 000009
【図９】
0003945259.tif 000010
【図１０】
0003945259.tif 000011
【図１１】
0003945259.tif 000012
【図１２】
0003945259.tif 000013
【図１３】
0003945259.tif 000014
【図１４】
0003945259.tif 000015